(57)【要約】【課題】  分解、組立作業が容易となるだけでなく、分解された仮設トイレの便器や便収容容器の積上げ高さを低く保持して、保管時のスペースを削減すると共に運搬時に安定姿勢で積載保持することができる仮設トイレを提供する。【解決手段】  便収容容器２は、鋼板により開口部面積が底面積より広く形成される側板１４を底面１２に向けて下り傾斜となるテーパ状に形成し、便器４は、鋼板により筒状に形成されて開口する上端外周縁から内方に張出してフラットな便座８を形成すると共に、下端開口を蓋体６に形成された開口部１６周縁に取着されて下端開口から上端に向く側板５周囲を縮径するテーパ状に形成し、分解時における便収容容器２をテーパ状側板１４内壁に他の同一構造となる複数の便収容容器２のテーパ状側板を順次重ねて収容保持し、且つ分解時における蓋体６を便器４のテーパ状側板５外壁に他の同一構造となる複数の便器４のテーパ状側板を順次重ねて収容保持するように構成した。【選択図】  図１
0003138279.tif 000002
【実用新案登録請求の範囲】
【請求項１】
上端面が開口し糞尿物などを収容する有底の便収容容器２と、該便収容容器２の開口部１０を閉塞すべく上記開口部１０周縁に着脱可能に取付けられ略中央に使用者が着座する便座８を備えた便器４を有する蓋体６とから構成される仮設トイレであって、
上記便収容容器２は、鋼板により開口部面積が底面積より広く形成される側板１４が底面１２に向けて下り傾斜となるテーパ状に形成され、上記便器４は、鋼板により筒状に形成されて開口する上端外周縁から内方に張出してフラットな便座８が形成されると共に、下端開口が上記蓋体に形成された開口部１６周縁に取着されて下端開口から上端に向く側板５周囲が縮径するテーパ状に形成されて成り、分解時における便収容容器２は、上記テーパ状の側板１４内壁に他の同一構造となる複数の便収容容器２のテーパ状側板を順次重ねて収容保持し、且つ分解時における上記蓋体６は、上記便器４のテーパ状側板５外壁に他の同一構造となる複数の便器４のテーパ状側板を順次重ねて収容保持するようにしたことを特徴とする仮設トイレ。
【請求項２】
上記蓋体６は、周縁に配設された複数の取付け部に複数の支柱２２が立設保持されて上記各支柱２２間に上記蓋体６上面を囲むように張設係止されたカバーシート３０によりその内部が隠蔽され、上記カバーシート３０の一部には、開閉可能な出入り口が形成されると共に上記便器４前方の蓋体６に立設保持される中間支柱２２は、斜め補助支柱２３により支持され、上記中間支柱２２の上端には横連結部材２４が蓋体６前方側の両隅部に立設した各支柱２２に連結保持されていることを特徴とする請求項１に記載の仮設トイレ。
【考案の詳細な説明】
【技術分野】
【０００１】
本考案は、例えば災害時に被災地等に仮り設置される仮設トイレに関する。
【背景技術】
【０００２】
従来、この種の仮設トイレとして各種仮設トイレが提案されているが、これらの仮設トイレは、災害時などに災害現場まで運搬されると緊急性が要求されることから直ちに設置されて使用できる状態にするために分解、組み立て作業が容易にできるように構成されている。
【０００３】
上記のような災害時には、できるだけ多くの被災者が長期間利用されるように多数の仮設トイレを一度に現地まで運搬できるようにすることと、使用後に分解された多数の部材を現地に一時保管しておく必要性から、できるだけコンパクトに積載することができる構造の仮設トイレが要望されていた。上記の要望を満たしたものとして、次に述べる仮設トイレが提案されている（例えば特許文献１参照）。
【０００４】
【特許文献１】特開２０００−１４５９６号公報
【考案の開示】
【考案が解決しようとする課題】
【０００５】
ところで、上記特許文献１は、便座、屎尿袋、上記便座を支持する台座から構成されており、上記便座は木製の平板状で中央部に鍵孔状の便穴が設けられ、上記便座の周縁部には上下面に沿って互いに交差する直線状の溝が縦横に形成されている。
【０００６】
上記台座は、例えば木製の複数の木片を四方形の下段枠、中段枠、上段枠を順に組み重ねて直方体の箱型形状に組立て、その内部には排便を収容するための屎尿袋が収納されるようになっている。
【０００７】
箱型の台座上端に上記便座の溝を嵌合して上記屎尿袋の上端を挟みこみ、仮設トイレの形態に組立てられる。使用後に保管する場合は、箱型の台座上端に使用後の仮設トイレは、保管場所に一定時期収容保管されるようになっており、保管する際は上記台座が順次積み重ねられる。積み重ねる際は、上記台座の上端に溝を介して嵌合された便座上面の溝に、別の仮設トイレを構成する台座の下端部を嵌合して段積みすることで荷崩れすることなく確実に保管することができるようになっている。
【０００８】
しかしながら、分解後の仮設トイレは、垂直上方に段積みされて保管されることから、保管場所に保管したり車で運搬する際は、積み上げられて積載高さが高くなると保管状態が不安定になるだけなく、積載上方の収容空間が制限されるため広い保管スペースが要求される問題を有している。
【０００９】
本考案の目的は、分解、組立作業が容易となるだけでなく、分解された仮設トイレの便器や便収容容器の積上げ高さを低く保持して、保管時のスペースを削減すると共に運搬時に安定姿勢で積載保持することができる仮設トイレを提供することを目的とする。
【課題を解決するための手段】
【００１０】
上記の目的を解決するために、本考案の請求項１に記載の仮設トイレは、上端面が開口し糞尿物などを収容する有底の便収容容器２と、該便収容容器２の開口部１０を閉塞すべく上記開口部１０周縁に着脱可能に取付けられ略中央に使用者が着座する便座８を備えた便器４を有する蓋体６とから構成される仮設トイレであって、上記便収容容器２は、鋼板により開口部面積が底面積より広く形成される側板１４が底面１２に向けて下り傾斜となるテーパ状に形成され、上記便器４は、鋼板により筒状に形成されて開口する上端外周縁から内方に張出してフラットな便座８が形成されると共に、下端開口が上記蓋体に形成された開口部１６周縁に取着されて下端開口から上端に向く側板５周囲が縮径するテーパ状に形成されて成り、分解時における便収容容器２は、上記テーパ状の側板１４内壁に他の同一構造となる複数の便収容容器２のテーパ状側板を順次重ねて収容保持し、且つ分解時における上記蓋体６は、上記便器４のテーパ状側板５外壁に他の同一構造となる複数の便器４のテーパ状側板を順次重ねて収容保持するようにしたことを特徴とする仮設トイレである。
上記の仮設トイレによれば、分解時における便収容容器２は、テーパ状の側板１４内壁に同一構造となる複数の便収容容器２のテーパ状側板１４を順次重ねて収容保持し、且つ分解時における上記蓋体６は、上記便器４のテーパ状側板５の外壁に他の同一構造となる複数の便器４のテーパ状側板５を順次重ねて収容保持される。
【００１１】
本考案の請求項２に記載の仮設トイレは、上記蓋体６が、周縁に配設された複数の取付け部に複数の支柱２２が立設保持されて上記各支柱２２間に上記蓋体６上面を囲むように張設係止されたカバーシート３０によりその内部が隠蔽され、上記カバーシート３０の一部には、開閉可能な出入り口が形成されると共に上記便器４前方の蓋体６に立設保持される中間支柱２２は、斜め補助支柱２３により支持され、上記中間支柱２２の上端には横連結部材２４が蓋体６前方側の両隅部に立設した各支柱２２に連結保持されていることを特徴とする仮設トイレである。
上記の仮設トイレによれば、便収容容器２上に便器４を有する蓋体６が取付けられると、上記蓋体６上面に立設保持された複数の支柱２２間にカバーシート３０が張設係止されて上記蓋体６上面が囲まれる。使用後の仮設トイレ１は、上記蓋体６上面より取外された複数の各支柱２２やカバーシート３０が、分解後にテーパ状側板に重ねて収容保持された複数の便収容容器２や複数の便器４と共に収容保持される。
【考案の効果】
【００１２】
本考案は以下の効果を奏する。
【００１３】
請求項１に記載の考案によれば、分解、組立作業が容易となるだけでなく、分解された仮設トイレの便器や便収容容器の積上げ高さを低く保持して、保管時のスペースを削減すると共に運搬時に安定姿勢で積載保持することができる。
【００１４】
請求項２に記載の考案によれば、蓋体上面に対する複数の各支柱やカバーシートの取付け、取り外し作業が容易となり、分解時に取り外された複数の各支柱やカバーシートは、テーパ状側板に重ねて収容保持された複数の便収容容器や複数の便器と共に収容保持することができる。
【考案を実施するための最良の形態】
【００１５】
本考案の一実施例を以下に説明する。
【実施例】
【００１６】
図１〜図６には仮設トイレの一実施例が示されている。図１は本考案に係る仮設トイレの一実施例を示す全体縦断面図、図２は本考案に係る仮設トイレの平面図、図３（ａ）は分解された仮設トイレの蓋体断面図、（ｂ）は分解された仮設トイレの便収容容器の断面図、図４は便器のテーパ状側板外壁に同一便器のテーパ状側板を収容して分解された複数の蓋体を重ねて保持する状態を示す断面図、図５は便収容容器のテーパ状側板内壁に分解された複数の同一便収容容器を重ねて収容保持する状態を示す断面図、図６は便収容容器のテーパ状側板内壁に重ねて収容保持した便収容容器内に、便器のテーパ状側板外壁に重ねて収容保持した複数の蓋体を反転して収容する状態を示す断面図である。
【００１７】
図１〜図３に示すように、仮設トイレ１は、糞尿物などを収容する有底の便収容容器２と、この便収容容器２の開口部１０を閉塞すべく上記開口部１０の周縁に着脱可能に取付けられ略中央に使用者が着座する便座８を備えた便器４を有する蓋体６から構成されている。
【００１８】
上記便収容容器２は、薄板状鋼板により截頭四角錐に形成されており、開口部１０の面積が底面部１２の面積より広く形成される截頭四角錐の側板１４の周囲が上記底面部１２に向けて下り傾斜となるテーパ状に形成されており、開口部１０の周縁には上記蓋体４を取り付けるためのフランジＦが形成されている。尚、上記便収容容器２は、四角錐に限らず多角錐または円錐形状で形成することもできる。
【００１９】
上記便器４は、薄板状鋼板により上端部が下端部より小径の略円形状または楕円形状となる截頭円錐に形成されている。上記蓋体６は、略中央部位に円形の開口部１６が形成されており、上記蓋板６の裏面周縁には上記便収容容器２のフランジＦに取付けるための帯状の角型補強枠板１８が接合されている。
【００２０】
上記便器４の下端開口は、上記蓋体６略中央部位に形成された略円形の開口部１６周縁に溶接接合されており、上記下端開口から上端に向く側板５は縮径となるテーパ状に形成されており、開口する上端外周縁には内方に向けて張出したフラットな便座８が形成されている。
【００２１】
上記蓋体６は、周縁に複数の取付け孔２０が形成されており、上記便収容容器２のフランジＦに形成された複数の螺子孔１５に対応している。上記蓋体６周縁の取付け孔２０を通して上記便収容容器２フランジＦの螺子孔１５には、棒状の丸鋼材で成人の標準身長に対応する高さで形成される複数の支柱２２が螺着して立設保持されている。
【００２２】
上記便器５前方の蓋体６及び上記便収容容器２のフランジＦ中央には、外側に突出する突出部６ａが形成されており、この突出部６ａに形成された取付け孔２０及び螺子孔１５には、中央支柱２２が螺着して立設保持されており、この中央支柱２２は、この中央支柱２２内側の蓋体６に斜めに立設した斜め補助支柱２３により支持されている。
【００２３】
この中央支柱２２上端両側には複数の筒状係止具２６が接合されおり、これら両係止具２６には、横連結部材２４の下向きに折曲された一端がそれぞれ上部から差込み係止されて、これら横連結部材２４の他端は、蓋体６前方側の両隅部に立設した一対の支柱２２上端の係止具２６にそれぞれ差し込まれて連結保持されている。同様に隣接する支柱２２の上端間にも別の横連結部材２４が連結保持されて、蓋体６周縁に立設した全支柱２２の上端間は横連結部材２４が連結保持されている。
【００２４】
上記全ての横連結部材２４には、樹脂製又は布製の不透明なカバーシート３０が支持されており、このカバーシート３０は、上端に設けた取付け具２８を挿通した横連結部材２４に支持されている。カバーシート３０の一部には、図示しない出入り口が設けられており、この出入り口はファスナーなどで開閉可能に構成されている。なお、全ての横連結部材２４にも図示しないカバーシートを張設して屋根を構成することができることは勿論である。
【００２５】
次に、上記のように構成された仮設トイレの分解、組立手順並びに保管方法に付き図１及び図３〜図６を参照して説明する。
【００２６】
図１には組立てられた状態の仮設トイレ１が示されている。この状態から分解する際には、各支柱２２の係止具２６から複数の横連結部材２４を抜き出した後この横連結部材２４からカバーシート３０を取り外し、上記蓋体６に螺着されている複数の支柱２２をナットを緩めて全て取り外す。
【００２７】
上記便収容容器２のフランジＦと蓋体６とは、各支柱２２によってナットＮを介して締結されており、全支柱２２を取り外すことで便収容容器２と蓋体６とは図３（ａ）、（ｂ）に示すように分離される。
【００２８】
複数の仮設トイレ１の分解によって分離された複数の蓋体６は、図４に示すように略中央に設けられた便器４の上部に別の蓋体６の便器４を挿入し、その便器４上部に順次別の便器４を挿入して複数の蓋体６を重ねていく。
【００２９】
同様に、分離された複数の便収容容器２は、図５に示すようにその開口部１０に別の便収容容器２を底面部１２から挿入し、その便収容容器２の内部に順次別の便収容容器２を挿入して重ねていく。
【００３０】
これにより、便収容容器２の内部に開口部１０から挿入された別の便収容容器２は、テーパ状の側板１４の内壁に支持された状態で重ねられていくので積載高さを低く抑えることができる。
【００３１】
また、蓋体６上の便器４も、下端の開口部１６から挿入された別の便器４は、テーパ状の側板５の内壁に支持された状態で重ねられていくので積載高さを低く抑えることができる。
【００３２】
このようにして、図６に示すように順次内部に収容されて複数の便収容容器２が積載された最上段の便収容容器２の開口部１０のフランジＦ上面に、複数重ねられた便器４を反転させた状態で最下段の蓋体６を支持する。
【００３３】
上記のように構成することで、仮設トイレの分解、組立作業が容易になるだけでなく、分解された仮設トイレ１の便器４や便収容容器２の積上げ高さを低く保持して、保管時のスペースを削減すると共に運搬時に安定姿勢で積載保持することができる。
【００３４】
また、蓋体６上面に対する複数の各支柱２２やカバーシート３０の取付け、取り外し作業が容易となり、分解時に取り外された複数の各支柱２２やカバーシート３０は、テーパ状側板に重ねて収容保持された複数の便収容容器２や複数の便器４と共に収容保持することができる。
【図面の簡単な説明】
【００３５】
【図１】本考案に係る仮設トイレの一実施例を示す全体縦断面図である。
【図２】本考案に係る仮設トイレの平面図である。
【図３】（ａ）は分解された仮設トイレの蓋体断面図、（ｂ）は分解された仮設トイレの便収容容器の断面図である。
【図４】便器のテーパ状側板外壁に同一便器のテーパ状側板を収容して分解された複数の蓋体を重ねて保持する状態を示す断面図である。
【図５】便収容容器のテーパ状側板内壁に分解された複数の同一便収容容器を重ねて収容保持する状態を示す断面図である。
【図６】便収容容器のテーパ状側板内壁に重ねて収容保持した便収容容器内に、便器のテーパ状側板外壁に重ねて収容保持した複数の蓋体を反転して収容する状態を示す断面図である。
【符号の説明】
【００３６】
１              仮設トイレ
２              便収容容器
４              便器
５              側板
６              蓋体
８              便座
１０              開口部
１２              底面部
１４              側板
１５              螺子孔
１６              開口部
１８              角型補強枠板
２０              取付け孔
２２              支柱
２３              斜め補助支柱
２４              横連結部材
２６              係止具
２８              取付け具
３０              カバーシート
Ｆ                フランジ
Ｎ                ナット
【図１】
0003138279.tif 000003
【図２】
0003138279.tif 000004
【図３】
0003138279.tif 000005
【図４】
0003138279.tif 000006
【図５】
0003138279.tif 000007
【図６】
0003138279.tif 000008